(57)【特許請求の範囲】
【請求項１】
船舶に搭載される検知機器の制御部と、前記検知機器による検知を音声で知らせるブザーをケーシングに内蔵し、前記ケーシングの前面パネルに操作部を設けた舶用検知装置において、前記操作部の少なくとも１つのスイッチを、前記ケーシングの前面パネルに設けた貫通孔に嵌挿して取り付け、この嵌挿したスイッチまたはスイッチの外周側を覆う外周部材と前記貫通孔との間に、前記内蔵したブザーの音声を通す音響隙間を設け、前記前面パネルの操作部の背面に密着させた内部パネルに、その背面側に設けられた前記ブザーの収納空間に開口する音響孔を設け、前記内部パネルの前面に、前記音響隙間と前記音響孔とを連通する音響溝を設けたことを特徴とする舶用検知装置。
【請求項２】
前記操作部のスイッチを複数設け、これらの複数のスイッチを前記前面パネルの貫通孔に嵌挿して、これらの嵌挿したスイッチまたはスイッチの外周側を覆う外周部材と前記貫通孔との間に前記音響隙間を設け、前記内部パネルの前面に設けた音響溝を、これらの複数個所のスイッチが嵌挿される前記前面パネルの貫通孔の音響隙間に連通させた請求項１に記載の舶用検知装置。
【請求項３】
前記スイッチに、前記前面パネルの貫通孔よりも外径側に全周で張り出し、前面パネルの前面との間に隙間を形成する頭部を設けた請求項１又は２に記載の舶用検知装置。
【発明の詳細な説明】
【技術分野】
【０００１】
本発明は、船舶に搭載されるレーダや魚群探知機等の検知機器用の舶用検知装置に関する。
【背景技術】
【０００２】
漁船やプレジャーボート等の船舶は、レーダ、測深機、魚群探知機、ＧＰＳ(Global Positioning System）等の検知機器の制御部をケーシングに内蔵し、ケーシングの前面にスイッチ等の操作部を設けた舶用検知装置を搭載したものが多くなっている（例えば、特許文献１参照）。この種の舶用検知装置は、ケーシングの前面パネルにディスプレイ等の表示部が設けられ、ケーシングの後面側を壁面に埋め込まれることが多い。表示部を別途に設けることもあり、ケーシングを専用の架台等に取り付けることもある。
【０００３】
このような舶用検知機器には、検知機器による他船、浅瀬、魚群等の検知を音声で知らせるブザーをケーシングに内蔵したものがある（例えば、特許文献２−４参照）。従来、このようにブザーを内蔵したブザー内蔵タイプの舶用検知装置では、ケーシングの前面パネルにブザーの音響孔を開口させている。
【先行技術文献】
【特許文献】
【０００４】
【特許文献１】特開２０００−３２３８６１号公報
【特許文献２】特開２０００−２７６４号公報
【特許文献３】特開２００１−９１２５２号公報
【特許文献４】特開２０１１−７６５４２号公報
【発明の概要】
【発明が解決しようとする課題】
【０００５】
上述した従来のブザー内蔵タイプの舶用検知装置は、ケーシングの前面パネルにブザーの音響孔を開口させているので、見栄えが悪い問題がある。また、開口した音響孔から波のしぶき等の水が内部に浸入しやすい問題もある。
【０００６】
そこで、本発明の課題は、見栄えがよく、内部に水が浸入し難いブザー内蔵タイプの舶用検知装置を提供することである。
【課題を解決するための手段】
【０００７】
上記の課題を解決するために、本発明は、船舶に搭載される検知機器の制御部と、前記検知機器による検知を音声で知らせるブザーをケーシングに内蔵し、前記ケーシングの前面パネルに操作部を設けた舶用検知装置において、前記操作部の少なくとも１つのスイッチを、前記ケーシングの前面パネルに設けた貫通孔に嵌挿して取り付け、この嵌挿したスイッチまたはスイッチの外周側を覆う筒部材と前記貫通孔との間に、前記内蔵したブザーの音声を通す音響隙間を設けた構成を採用した。
【０００８】
すなわち、操作部の少なくとも１つのスイッチを、ケーシングの前面パネルに設けた貫通孔に嵌挿して取り付け、この嵌挿したスイッチまたはスイッチの外周側を覆う筒部材と貫通孔との間に、内蔵したブザーの音声を通す音響隙間を設けることにより、前面パネルに開口する音響孔をなくして見栄えをよくするとともに、内部に水が浸入し難くした。
【０００９】
前記前面パネルの操作部の背面に密着させた内部パネルに、その背面側に設けられた前記ブザーの収納空間に開口する音響孔を設け、前記内部パネルの前面に、前記音響隙間と前記音響孔とを連通する音響溝を設けることにより、別途の音響ダクト部材を用いることなくコンパクトな設計で、ブザーの音声を外部に音響させることができる。また、内部パネルは、ケーシング内部への水の浸入を防止する役割もする。
【００１０】
前記操作部のスイッチを複数設け、これらの複数のスイッチを前記前面パネルの貫通孔に嵌挿して、これらの嵌挿したスイッチまたはスイッチの外周側を覆う外周部材と前記貫通孔との間に前記音響隙間を設け、前記内部パネルの前面に設けた音響溝を、これらの複数個所のスイッチが嵌挿される前記前面パネルの貫通孔の音響隙間に連通させることにより、万が一、１つのスイッチの音響隙間が何らかの理由で詰まった場合でも、ブザーの音声を常時聴き取ることができる。
【００１１】
前前記スイッチに、前記前面パネルの貫通孔よりも外径側に全周で張り出し、前面パネルの前面との間に隙間を形成する頭部を設けることにより、音響隙間から水がより浸入し難くすることができる。
【発明の効果】
【００１２】
本発明に係る舶用検知装置は、操作部の少なくとも１つのスイッチを、ケーシングの前面パネルに設けた貫通孔に嵌挿して取り付け、この嵌挿したスイッチまたはスイッチの外周側を覆う筒部材と貫通孔との間に、内蔵したブザーの音声を通す音響隙間を設けたので、見栄えをよくするとともに、内部に水が浸入し難くすることができる。
【図面の簡単な説明】
【００１３】
【図１】舶用検知装置の実施形態を示す正面図
【図２】図１の分解斜視図
【図３】図１のIII−III線に沿った断面図
【図４】図２の内部パネル部の正面図
【発明を実施するための形態】
【００１４】
以下、図面に基づき、本発明の実施形態を説明する。この舶用検知装置は、漁船に搭載されるレーダ、測深機、魚群探知機、ＧＰＳ等の複数の検知機器の制御部を備えたブザー内蔵タイプの複合検知装置であり、図１および図２に示すように、制御部としての制御基板１とブザー２を内蔵したケーシング１０の前面側に前面パネル２０が取り付けられている。前面パネル２０には、表示部となるガラスフィルタ２１と、操作部となる大小２つのスイッチ３、４を嵌挿する２箇所の貫通孔２２、２３と、ＳＤメモリカードを挿入する窓２４が設けられている。ガラスフィルタ２１の背面には、タッチパネル機能を有するＬＣＤ(Liquid Crystal Display)ユニット２５が取り付けられる。また、窓２４の背面側には、挿入されるＳＤメモリカードを収納するカードケース２６が取り付けられ、蓋部材２７で閉塞される。
【００１５】
前記制御基板１には制御回路（図示省略）と各スイッチ３、４の接点３ａ、４ａが設けられるとともに、ブザー２とＳＤメモリカードの情報を読み取るカードユニット５が取り付けられる。ブザー２は２つの接点３ａ、４ａの上下方向の中間部に取り付けられる。
【００１６】
図２および図３に示すように、前記小さい方のスイッチ３は、ＬＣＤユニット２５の画面を初期のメニュ画面に戻す押しボタンスイッチであり、シリコンゴム製のラバーキー６に一体に形成され、押さえ部材１２に形成された貫通孔１２ｂに嵌挿されて接点３ａを押圧するようになっている。大きい方のスイッチ４は、検知機器の種類を選択する摘みスイッチであり、ラバーキー６に形成された筒部６ｂと、後述する押さえ部材１２に形成された貫通孔１２ｃに嵌挿されて接点４ａに接続されるとともに、前面パネル２０から突出する頭部に摘み４ｂが取り付けられる。ラバーキー６の筒部６ａの内径面には、嵌挿されるスイッチ４の外径面と接触し、筒部６ｂからの水の浸入を防止するフィン６ｃが形成されている。
【００１７】
前記ケーシング１０には、前面パネル２０の操作部の背面に密着される内部パネル１１が一体に形成されており、ラバーキー６は押さえ部材１２で内部パネル１１の背面に押し当てられる。内部パネル１１とラバーキー６および押さえ部材１２には、それぞれこれらの背面側のブザー２の収納空間に開口する音響孔１１ａ、６ａ、１２ａが設けられている。また、押さえ部材１２の音響孔１２ａの周りには、音響を通し、制御部側への水の浸入を防止するシール部材１３を取り付ける凹部１２ｄが形成されている。
【００１８】
前記内部パネル１１には、スイッチ３を案内する筒部１１ｂと、スイッチ４を案内するラバーキー６の筒部６ｂを嵌挿し、前面パネル２０の前面に突出する筒部１１ｃが設けられている。これらの各スイッチ３、４の外周側を覆う外周部材としての筒部１１ｂ、１１ｃと前面パネル２０の貫通孔２２、２３との間には、ブザー２の音声を通す音響隙間２２ａ、２３ａが設けられている。
【００１９】
図３および図４に示すように、前記内部パネル１１の前面には、各音響隙間２２ａ、２３ａと音響孔１１ａ、１２ａとを連通する音響溝１１ｄが設けられている。また、大きい方のスイッチ４の頭部の摘み４ｂは、音響隙間２３ａを設けた貫通孔２３よりも外径側に全周で張り出し、前面パネル２０の前面との間に隙間が形成されている。したがって、図３に矢印で示すように、ブザー２から発生する音声は、音響孔１１ａ、１２ａから音響溝１１ｄと各音響隙間２２ａ、２３ａを通して、常時外部に音響させることができる。
【００２０】
上述した実施形態では、操作部に２つのスイッチを設け、これらの外周側を覆う外周部材としての内部パネルの各筒部と前面パネルの各貫通孔との間に音響隙間を設けたが、外周部材をなくして、スイッチと貫通孔との間に音響隙間を設けてもよい。また、スイッチの数は、１つまたは３つ以上としてもよく、スイッチの数を複数とする場合は、一部のスイッチを嵌挿する貫通孔のみに音響隙間を設けてもよい。
【００２１】
上述した実施形態では、複数の検知機器の制御部を備えた複合検知装置とし、表示部を前面パネルに設けたが、本発明に係る舶用検知装置は、例えば、魚群探知機のような１つの検知機器の制御部を備えたものにも適用することができ、表示部を別体のディスプレイ装置等に設けることもできる。
【符号の説明】
【００２２】
１  制御基板
２  ブザー
３、４  スイッチ
３ａ、４ａ  接点
４ｂ  摘み
５  カードユニット
６  ラバーキー
６ａ  音響孔
６ｂ  筒部
６ｃ  フィン
１０  ケーシング
１１  内部パネル
１１ａ  音響孔
１１ｂ、１１ｃ  筒部
１１ｄ  音響溝
１２  押さえ部材
１２ａ  音響孔
１２ｂ、１２ｃ  貫通孔
１２ｄ  凹部
１３  シール部材
２０  前面パネル
２１  ガラスフィルタ
２２、２３  貫通孔
２２ａ、２３ａ  音響隙間
２４  窓
２５  ＬＣＤユニット
２６  カードケース
２７  蓋部材
【図１】
0005839682.tif 000002
【図２】
0005839682.tif 000003
【図３】
0005839682.tif 000004
【図４】
0005839682.tif 000005